(57)【要約】【課題】  所定の記憶領域に格納されるデータへのアクセスの利便性を向上させる技術を提供する。【解決手段】  データを所定の記憶領域に格納させる格納処理部１０１と、格納処理部１０１により記憶領域に格納されるデータにアクセスするためのアクセス情報を取得する情報取得部１０２と、格納処理部１０１による記憶領域へのデータ格納処理の実行に応じて、情報取得部１０２にて取得されるアクセス情報を所定の記録媒体に対して出力させる情報出力部１０３とを備えてなる。とを備える。【選択図】  図２
2009105897.tif 000002
【特許請求の範囲】
【請求項１】
データを所定の記憶領域に格納させる格納処理部と、
前記格納処理部により前記記憶領域に格納されるデータにアクセスするためのアクセス情報を取得する情報取得部と、
前記格納処理部による前記記憶領域へのデータ格納処理の実行に応じて、前記情報取得部にて取得されるアクセス情報を所定の記録媒体に対して出力させる情報出力部と
を備えてなるデータ管理装置。
【請求項２】
請求項１に記載のデータ管理装置において、
原稿の画像を読み取る画像読取部を備え、
前記格納処理部は、前記画像読取部にて読み取られる画像データを所定の記憶領域に格納させるデータ管理装置。
【請求項３】
請求項１に記載のデータ管理装置において、
前記情報出力部は、前記格納処理部により前記記憶領域へのデータ格納処理の実行開始から、該データ格納処理の完了から所定時間経過するまでの間に、前記アクセス情報を所定の記録媒体に対して出力させるデータ管理装置。
【請求項４】
請求項１に記載のデータ管理装置において、
前記情報出力部は、前記格納処理部により格納すべきデータの容量が所定値以上である場合には、前記格納処理部によるデータ格納処理の完了に先立って、前記アクセス情報の出力を行なうデータ管理装置。
【請求項５】
請求項１に記載のデータ管理装置において、
前記所定の記録媒体は、可搬型記憶媒体であり、
前記情報出力部は、該可搬型記憶媒体に対してデータ書き込み可能なデータ書き込み装置であるデータ管理装置。
【請求項６】
請求項１に記載のデータ管理装置において、
前記所定の記録媒体は、印刷用シートであり、
前記情報出力部は、該印刷用シートに対して画像形成可能な画像形成装置であるデータ管理装置。
【請求項７】
請求項１に記載のデータ管理装置において、
前記アクセス情報は、ＩＤ情報であるデータ管理装置。
【請求項８】
請求項１に記載のデータ管理装置において、
前記アクセス情報は、所在を示す情報であるデータ管理装置。
【請求項９】
請求項１に記載のデータ管理装置において、
前記アクセス情報は、ＵＲＬもしくはデータ格納場所を示すパスであるデータ管理装置。
【請求項１０】
請求項１に記載のデータ管理装置において、
前記格納処理部は、前記所定の記憶領域にデータを格納させる際に、該データに対してファイル名を付与するものであり、
前記アクセス情報は、前記格納処理部により付与されるファイル名であるデータ管理装置。
【請求項１１】
データを所定の記憶領域に格納させる格納処理手段と、
前記格納処理手段により前記記憶領域に格納されるデータにアクセスするためのアクセス情報を取得する情報取得手段と、
前記格納処理手段による前記記憶領域へのデータ格納処理の実行に応じて、前記情報取得手段にて取得されるアクセス情報を所定の記録媒体に対して出力させる情報出力手段と
を備えてなるデータ管理装置。
【請求項１２】
データを所定の記憶領域に格納させる格納処理ステップと、
前記格納処理ステップにより前記記憶領域に格納されるデータにアクセスするためのアクセス情報を取得する情報取得ステップと、
前記格納処理ステップによる前記記憶領域へのデータ格納処理の実行に応じて、前記情報取得ステップにて取得されるアクセス情報を所定の記録媒体に対して出力させる情報出力ステップと
を備えてなるデータ管理方法。
【請求項１３】
請求項１２に記載のデータ管理方法において、
前記情報出力ステップは、前記格納処理ステップにより前記記憶領域へのデータ格納処理の実行開始から、該データ格納処理の完了から所定時間経過するまでの間に、前記アクセス情報を所定の記録媒体に対して出力させるデータ管理方法。
【請求項１４】
請求項１２に記載のデータ管理方法において、
前記情報出力ステップは、前記格納処理ステップにより格納すべきデータの容量が所定値以上である場合には、前記格納処理ステップによるデータ格納処理の完了に先立って、前記アクセス情報の出力を行なうデータ管理方法。
【請求項１５】
請求項１２に記載のデータ管理方法において、
前記所定の記録媒体は、可搬型記憶媒体であり、
前記情報出力ステップは、該可搬型記憶媒体に対してデータ書き込みを行なうデータ管理方法。
【請求項１６】
請求項１２に記載のデータ管理方法において、
前記所定の記録媒体は、印刷用シートであり、
前記情報出力ステップは、該印刷用シートに対して画像形成処理を行なうデータ管理方法。
【請求項１７】
請求項１２に記載のデータ管理方法において、
前記アクセス情報は、ＩＤ情報であるデータ管理方法。
【請求項１８】
請求項１２に記載のデータ管理方法において、
前記アクセス情報は、所在を示す情報であるデータ管理方法。
【請求項１９】
請求項１２に記載のデータ管理方法において、
前記アクセス情報は、ＵＲＬもしくはデータ格納場所を示すパスであるデータ管理方法。
【請求項２０】
請求項１２に記載のデータ管理方法において、
前記格納処理ステップは、前記所定の記憶領域にデータを格納させる際に、該データに対してファイル名を付与するものであり、
前記アクセス情報は、前記格納処理ステップにより付与されるファイル名であるデータ管理方法。
【発明の詳細な説明】
【技術分野】
【０００１】
本発明は、所定の記憶領域に格納されるデータの管理に関するものであり、特に、当該記憶領域に格納されるデータへのアクセスの利便性を向上させる技術に関するものである。
【背景技術】
【０００２】
従来、画像読取装置で原稿を読み取って得られる画像データを、サーバ等の所定の記憶領域に蓄積してゆく技術が知られる。
上記従来技術において、サーバ等に蓄積されたデータを取り扱うための種々の技術が開示されている（例えば下記特許文献１〜３参照）。
【特許文献１】特開２００４−６４５１４号公報
【特許文献２】特開２００１−３１３９１３号公報
【特許文献３】特開２００２−３５４１６４号公報
【発明の開示】
【発明が解決しようとする課題】
【０００３】
しかしながら、画像読取装置でスキャンして上記サーバ等に蓄積する画像データの量が多くなってくると、自分が保存したデータの検索が困難になる。
従来、上述のようにサーバ等に蓄積するデータ量が多くなるような場合には、慎重にデータの保存先を指定したり、ファイル名を日付にしてこれを目安にするなどの工夫を施していたが、やはり大量のデータから自分がスキャンした画像データを的確に素早く見つけることは困難である。
また、同様の理由から、自分がスキャンした画像データを他人に渡したいような場合にも、慎重に指定したファイル名をメールで相手に伝えるといった工夫が必要であった。
【０００４】
本発明は上述した問題点を解決するためになされたものであり、所定の記憶領域に格納されるデータへのアクセスの利便性を向上させる技術を提供することを目的とする。
【課題を解決するための手段】
【０００５】
上述した課題を解決するため、本発明の実施の形態の一態様では、データを所定の記憶領域に格納させる格納処理部と、前記格納処理部により前記記憶領域に格納されるデータにアクセスするためのアクセス情報を取得する情報取得部と、前記格納処理部による前記記憶領域へのデータ格納処理の実行に応じて、前記情報取得部にて取得されるアクセス情報を所定の記録媒体に対して出力させる情報出力部とを備えてなる。
【０００６】
本発明の実施の形態の一態様では、データを所定の記憶領域に格納させる格納処理手段と、前記格納処理手段により前記記憶領域に格納されるデータにアクセスするためのアクセス情報を取得する情報取得手段と、前記格納処理手段による前記記憶領域へのデータ格納処理の実行に応じて、前記情報取得手段にて取得されるアクセス情報を所定の記録媒体に対して出力させる情報出力手段とを備えてなる。
【０００７】
本発明の実施の形態の一態様では、データを所定の記憶領域に格納させる格納処理ステップと、前記格納処理ステップにより前記記憶領域に格納されるデータにアクセスするためのアクセス情報を取得する情報取得ステップと、前記格納処理ステップによる前記記憶領域へのデータ格納処理の実行に応じて、前記情報取得ステップにて取得されるアクセス情報を所定の記録媒体に対して出力させる情報出力ステップとを備えてなる。
【発明の効果】
【０００８】
本発明によれば、所定の記憶領域に格納されるデータへのアクセスの利便性を向上させることができるという効果を奏する。
【発明を実施するための最良の形態】
【０００９】
以下、本発明の実施の形態について図面を参照しつつ説明する。
図１は、本実施の形態によるデータ管理装置および当該データ管理装置を含むネットワーク構成について説明するための機能ブロック図である。同ネットワークは、データ管理装置Ｍ、ＰＣ２、通信端末３およびデータ管理サーバ４から構成されている。
【００１０】
本実施の形態によるデータ管理装置Ｍは、例えばＭＦＰ（Multi Function Peripheral）であり、ＬＡＮ等の電気通信回線を介してデータ管理装置Ｍと通信可能に接続されるＰＣ（Personal Computer）２と通信可能となっている。また、ＰＣ２とデータ管理サーバ４もＬＡＮ等の電気通信回線を介して相互通信可能となっている。
【００１１】
データ管理装置Ｍでは、ユーザの操作入力に基づいて原稿の画像読取が可能となっており、データ管理装置Ｍにて読み取られた原稿の画像は、データ化され、データ管理サーバ４に送信される。
データ管理サーバ４には、画像データ、文書データ、プログラムファイル等の種々のデータが格納されており、これらデータがデータ管理サーバ４で管理されている。
【００１２】
図２は、データ管理サーバ４において管理されるデータのデータ構造を示す図である。本実施の形態では、通常のサーバ装置を用いて、データ管理サーバ４の記憶領域内の特定のフォルダで文書データを管理している。もちろん、当該文書データの管理に文書管理システムなどを用いることも可能である。
【００１３】
データ管理サーバ４の記憶領域内には、データ管理用の「DocumentRoot」フォルダが作成されており、同フォルダには、「ワークフロー文書」や「管理書類Ａ」などのフォルダとともに、スキャンした文書データを保管するための「ScanDocument」フォルダ（所定の記憶領域）を作成している。「ScanDocument」フォルダ内には、データ管理装置Ｍにて原稿からスキャンされた文書の画像データ等が保管されている。なお、図２では、「ScanDocument」フォルダ内に、「Scan001」、「Scan002」、「Scan003」および「Scan004」の４つのデータが管理されている例を示している。
【００１４】
ＰＣ２では、ユーザの操作入力に基づいて、データ管理サーバ４に格納されているデータをダウンロードして画面表示することが可能となっている。ＰＣ２は、非接触ＩＣカード（所定の記録媒体）を備えた通信端末３（ここでは、携帯電話であるものとする。）と通信可能な通信装置２０１を備えており、通信端末３に内蔵された非接触ＩＣカードからのデータ読み取りが可能となっている。
【００１５】
続いて、データ管理装置Ｍの構成の詳細について説明する。
本実施の形態によるデータ管理装置Ｍは、格納処理部１０１、情報取得部１０２、通信装置１０３、画像読取部１０４、画像形成部１０５、操作入力部１０６、ＣＰＵ８０１およびＭＥＭＯＲＹ８０２を備えてなる構成となっている。
まず、操作入力部１０６は、キーボードやマウス等から構成されており、ユーザの操作入力を受け付ける役割を有している。具体的に、本実施の形態では、操作入力部１０６は、データ管理装置Ｍに備えられている不図示のタッチディスプレイパネルにより実現されている。
【００１６】
画像読取部（画像読取手段）１０４は、操作入力部１０６にてユーザの画像読取開始を指示する操作入力を受け付けた場合、或いはＰＣ２からＬＡＮを介して画像読取開始の指示があった場合に、原稿の画像を読み取る。
【００１７】
格納処理部（格納処理手段）１０１は、画像読取部１０４にて読み取られた画像データを、データ管理サーバ４内の「ScanDocument」フォルダ（所定の記憶領域）に格納させる。なお、格納処理部１０１によってデータ管理サーバ４に対して格納させるデータは、必ずしも画像読取部１０４でスキャンされたデータそのものに限られるものではなく、データ管理装置Ｍを経由してデータ管理サーバ４に送信されるデータや、データ管理装置Ｍにてスキャンされた後に画像処理等を施されたデータ等であってもよい。
【００１８】
情報取得部（情報取得手段）１０２は、格納処理部１０１により記憶領域に格納されるデータにアクセスするためのアクセス情報を取得する。ここでの「アクセス情報」とは、具体的には、例えば当該データのデータ管理サーバ４内におけるＩＤ情報（識別情報）、ＵＲＬやデータ格納場所を示すパスのような、記憶領域に格納されたデータの所在を示す情報である。情報取得部１０２は、例えばデータ管理サーバ４と通信を行なうことにより、上記アクセス情報を取得する。
【００１９】
通信装置（情報出力部、情報出力手段）１０３は、非接触ＩＣカードに対してデータ書き込み可能なデータ書き込み装置から構成されており、格納処理部１０１による「ScanDocument」フォルダへのデータ格納処理の実行に応じて、情報取得部１０２にて取得されるアクセス情報を、通信装置１０３近傍にかざされた通信端末３に内蔵される非接触ＩＣカード（所定の記録媒体）に対して書き込む。
なお、ここでは所定の記録媒体が非接触ＩＣカードである例を示したが、これに限られるものではなく、フレキシブルディスク、ＣＤ−Ｒ、ＵＳＢメモリ、非接触ＩＣカード、磁気カード、電子レシート、ＲＦＩＤなどの可搬型記憶媒体であれば適用可能である。また、データ書き込み装置によるデータ書き込み方式には、近接非接触通信規格(NFC)、ToruCa（登録商標）、Bluetooth（登録商標）、IrDA（登録商標）などを採用することが可能である。
【００２０】
なお、電子レシート、非接触ＩＣカード、磁気カードおよびＲＦＩＤを繰り返し利用する場合、すでに書き込まれている情報を消去してから再利用することが好ましい。
【００２１】
また、アクセス情報を書き込む対象となる記録媒体は、必ずしも通信端末に内蔵されている必要はなく、データ書き込みおよびデータ読み取りが可能な記録媒体単体であってもよい。
【００２２】
図３は、通信装置１０３から通信端末３に対して送信されるアクセス情報を含むデータの一例を示す図である。同図に示すデータには、データ管理装置Ｍにおける画像読取部１０４でスキャンされデータ管理サーバ４に格納された文書データの「ＵＲＬ」、「文書名」および「スキャン実行日時」などが含まれている。
【００２３】
また、通信装置１０３は、少なくとも、格納処理部１０１によりデータ管理サーバ４へのデータ格納処理の実行開始から、該データ格納処理の完了から所定時間（例えば、約３０秒）経過するまでの間に、アクセス情報を所定の記録媒体に対して出力させる。このように、データ管理装置Ｍにてデータ管理サーバ４へのデータ格納処理を行ったタイミングとほぼ同じタイミングで当該データへのアクセス情報を取得できるようにすることで、あるタイミングでデータ管理サーバ４に格納させたデータのアクセス情報であることを、ユーザに直感的に認識させることができる。
【００２４】
なお、通信装置１０３は、格納処理部１０１により格納すべきデータの容量が所定値以上である場合には、格納処理部１０１によるデータ格納処理の完了に先立って、アクセス情報の出力を行なうようにすることもできる。これによれば、データ格納領域に格納すべきデータの容量が、データ格納処理（記憶領域へのデータ書き込み処理）自体に相当な時間がかかるほど大容量であるような場合に、ユーザを無駄に待たせることなく迅速にアクセス情報を通知することができる。
【００２５】
また、上述の例では、データへのアクセス情報をデータとしてメモリ等の記録媒体に記憶させる構成を示したが、これに限られるものではなく、画像形成部１０５によって印刷用シート（所定の記録媒体）に対して上記アクセス情報を印刷するようにしてもよい。ここでの印刷用シートには、例えばコピー用紙（いわゆる普通紙）やプラスチックフィルム等を採用することが可能である。
【００２６】
ＣＰＵ８０１は、データ管理装置における各種処理を行なう役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、データ管理装置Ｍにおいて利用される種々の情報やプログラムを格納する役割を有している。
【００２７】
図４および図６〜図９は、本実施の形態におけるデータ管理方法の処理の流れについて説明するためのフローチャートである。
図４は、データ管理装置Ｍにおける処理の流れを示すフローチャートである。
操作入力部１０６にて、ユーザからのスキャン開始の指示を受け付けると（Ｓ１０１）、画像読取部１０４における原稿の画像読み取り処理が開始される（Ｓ１０２）。
【００２８】
画像読取部１０４における画像読み取り処理の完了後、格納処理部１０１によって読み取った画像データがデータ管理サーバ４に送信される（Ｓ１０３）。ここで、格納処理部１０１は、データ管理サーバ４にデータを格納させる際に、該データに対してファイル名を付与する。
情報取得部１０２は、当該付与されたファイル名（アクセス情報）を取得し、当該ファイル名に基づいて、通信端末３に転送するためのデータを生成する（Ｓ１０４）。
【００２９】
続いて、不図示のタッチパネルディスプレイ上に図５に示すように通信端末３を通信装置１０３にかざすように指示が画面表示される（Ｓ１０５）。
その後、ユーザが通信端末３を通信装置１０３にかざすと（Ｓ１０６）、通信装置１０３によって上記転送用のデータが通信端末３の記録媒体に書き込まれる（Ｓ１０７）。
【００３０】
図６は、ＰＣ２における処理の流れについて説明するためのフローチャートである。
まず、ＰＣ２上でデータ管理サーバ４に格納されているデータを画面表示するためのアプリケーションソフトを起動させる（Ｓ２０１）。
続いて、ユーザが、通信端末３をＰＣ２の通信装置２０１にかざす（Ｓ２０２）。
【００３１】
通信装置２０１では、通信端末３の記録媒体に記憶されているデータを全て読み取る（Ｓ２０３）。
ＰＣ２は、通信装置２０１を介して通信端末３から取得したデータの一覧を生成し（Ｓ２０４）、当該データ一覧からユーザが任意に選択したデータを画面表示させる（Ｓ２０５）。
【００３２】
図７は、データ管理装置Ｍにおける処理の他の例を示すフローチャートである。
操作入力部１０６にて、ユーザからのスキャン開始の指示を受け付けると（Ｓ３０１）、画像読取部１０４における原稿の画像読み取り処理が開始される（Ｓ３０２）。
【００３３】
画像読取部１０４における画像読み取り処理の完了後、格納処理部１０１によって読み取った画像データがデータ管理サーバ４に送信される（Ｓ３０３）。ここで、格納処理部１０１は、データ管理サーバ４にデータを格納させる際に、該データに対してファイル名を付与する。
情報取得部１０２は、当該付与されたファイル名（アクセス情報）を取得し、当該ファイル名に基づいて、当該ファイル名のデータにアクセスするためのＵＲＬを生成する（Ｓ３０４）。
【００３４】
続いて、上述のようにして生成されたＵＲＬを、画像形成部１０５によって用紙に印刷し（Ｓ３０５）、出力する（Ｓ３０６）。なお、ここでのＵＲＬデータの用紙への印字処理は、例えば２次元バーコードとして印字することにより行なわれる。なお、ここではＵＲＬデータを２次元バーコードとして印字する例を挙げたが、これに限られるものではなく、ファイルＮｏやＵＲＬの文字列そのままを印字してもよいし、上記ＵＲＬデータをデータとして通信端末３の記録媒体に対して書き込むようにすることもできる。
【００３５】
図８は、ＰＣ２における処理の他の例について説明するためのフローチャートである。ここでは、通信装置２０１が撮像装置を備えていることを前提とした処理となっている。
まず、ＰＣ２上でデータ管理サーバ４に格納されているデータを画面表示するためのアプリケーションを起動させる（Ｓ４０１）。
【００３６】
続いて、図７に示した処理においてアクセス情報が印字されたカードをＰＣ２の通信装置２０１における撮像装置にかざす（Ｓ４０２）。
通信装置２０１では、カードに印字されているアクセス情報（或いはアクセス情報に基づいて生成されたバーコード等）を読み取る（Ｓ４０３）。
ＰＣ２は、通信装置２０１を介してカードからアクセス情報を読み取ったデータのＵＲＬを取得し、当該データを画面表示させる（Ｓ４０４）。
図９は、データ管理装置Ｍにおける処理のさらに他の例を示すフローチャートである。
【００３７】
操作入力部１０６にて、ユーザからのスキャン開始の指示を受け付けると（Ｓ５０１）、画像読取部１０４における原稿の画像読み取り処理が開始される（Ｓ５０２）。
【００３８】
画像読取部１０４における画像読み取り処理の完了後、格納処理部１０１によって読み取った画像データがデータ管理サーバ４に送信される（Ｓ５０３）。
情報取得部１０２は、当該データ管理サーバ４に送信されたデータのアクセス情報を取得し、当該アクセス情報に基づいて、通信端末３に転送するためのデータを生成する（Ｓ５０４）。
【００３９】
続いて、不図示のタッチパネルディスプレイ上に図５に示すように通信端末３を通信装置１０３にかざすように指示が画面表示される（Ｓ５０５）。その後、ユーザが通信端末３を通信装置１０３にかざすと（Ｓ５０６）、通信装置１０３によって上記転送用のデータが通信端末３の記録媒体に書き込まれる。
【００４０】
一方、通信装置１０３は、格納処理部１０１により格納すべきデータの容量が所定値以上（例えば４０ＭＢ以上など）である場合には、格納処理部１０１によるデータ格納処理の完了に先立って、スキャン処理を実行した後（Ｓ５０７）、データ管理サーバ４へのスキャンデータの転送と並行して、アクセス情報の通信端末３への出力を行なう（Ｓ５０８）。
【００４１】
図１０は、本実施の形態によるデータ管理装置における大まかな処理の流れ（データ管理方法）について説明するためのフローチャートである。
格納処理部１０１は、データを所定の記憶領域に格納させる（格納処理ステップ）（Ｓ９０１）。
【００４２】
情報取得部１０２は、格納処理ステップにより記憶領域に格納されるデータにアクセスするためのアクセス情報を取得する（情報取得ステップ）（Ｓ９０２）。
情報出力部１０３は、格納処理ステップによる記憶領域へのデータ格納処理の実行に応じて、情報取得ステップにて取得されるアクセス情報を所定の記録媒体に対して出力させる（情報出力ステップ）（Ｓ９０３）。ここで、情報出力ステップは、格納処理ステップにより記憶領域へのデータ格納処理の実行開始から、該データ格納処理の完了から所定時間経過するまでの間に、アクセス情報を所定の記録媒体に対して出力させることが好ましい。
【００４３】
上述のデータ管理装置での処理における各ステップは、ＭＥＭＯＲＹ８０２に格納されているデータ管理プログラムをＣＰＵ８０１に実行させることにより実現されるものである。
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４４】
以上のように、本実施の形態によれば、ユーザは自分がスキャンした文書データに的確に且つ簡単にアクセスすることができるようになる。また、ユーザ自身がスキャンした文書データ等を任意の提供相手に提供したいような場合においても、例えば当該文書データへのアクセス情報が記録されたカード等を手渡すことで、当該提供相手に対して確実に安心してデータを提供することができる。
本発明を特定の態様により詳細に説明したが、本発明の精神および範囲を逸脱しないかぎり、様々な変更および改質がなされ得ることは、当業者には自明であろう。
【００４５】
以上に詳述したように本発明によれば、所定の記憶領域に格納されるデータへのアクセスの利便性を向上させる技術を提供することができる。
【図面の簡単な説明】
【００４６】
【図１】本実施の形態によるデータ管理装置および当該データ管理装置を含むネットワーク構成について説明するための機能ブロック図である。
【図２】データ管理サーバ４において管理されるデータのデータ構造を示す図である。
【図３】通信装置１０３から通信端末３に対して送信されるアクセス情報を含むデータの一例を示す図である。
【図４】本実施の形態におけるデータ管理方法の処理の流れについて説明するためのフローチャートである。
【図５】通信端末３を通信装置１０３にかざすよう指示する画面表示の例である。
【図６】本実施の形態におけるデータ管理方法の処理の流れについて説明するためのフローチャートである。
【図７】本実施の形態におけるデータ管理方法の処理の流れについて説明するためのフローチャートである。
【図８】本実施の形態におけるデータ管理方法の処理の流れについて説明するためのフローチャートである。
【図９】本実施の形態におけるデータ管理方法の処理の流れについて説明するためのフローチャートである。
【図１０】本実施の形態によるデータ管理装置における大まかな処理の流れ（データ管理方法）について説明するためのフローチャートである。
【符号の説明】
【００４７】
２  ＰＣ、３  通信端末、４  データ管理サーバ、１０１  格納処理部、１０２  情報取得部、１０３  通信装置、１０４  画像読取部、１０５  画像形成部、１０６  操作入力部、８０１  ＣＰＵ、８０２  ＭＥＭＯＲＹ、Ｍ  データ管理装置。
【図１】
2009105897.tif 000003
【図２】
2009105897.tif 000004
【図３】
2009105897.tif 000005
【図４】
2009105897.tif 000006
【図５】
2009105897.tif 000007
【図６】
2009105897.tif 000008
【図７】
2009105897.tif 000009
【図８】
2009105897.tif 000010
【図９】
2009105897.tif 000011
【図１０】
2009105897.tif 000012